(57)【要約】【課題】高画質なカラー表示が可能であるとともに、各部材の位置調整を簡単に行うことができ、生産性に優れた光学装置および電子機器を提供すること。【解決手段】光学装置は、３つの偏光分離素子４４１と、３つの反射型電気光学装置５０と、クロスダイクロイックプリズム４４３と、３つの三角柱状の取付部材７０を備える。取付部材７０は、第１面７１、第２面７２、および第３面７３によって形成され、第１面７１と第２面７２とが直交するとともに、第３面７３は第１面７１と第２面７２に対して４５°傾斜している。第１面７１はクロスダイクロイックプリズム４４３の光束入射領域４４４Ａに接合され、第２面７２は反射型電気光学装置５０の画像形成領域５１Ａに接合され、第３面７３は偏光分離素子４４１の偏光分離領域４４１Ａに接合されている。【選択図】図２
2011215521.tif 000002
【特許請求の範囲】
【請求項１】
複数の色光を色光毎に画像情報に応じて変調する複数の反射型光変調素子と、
前記反射型光変調素子に照射される光束および前記反射型光変調素子で変調された光束を偏光分離する複数の偏光分離素子と、
前記複数の反射型光変調素子にて変調され前記複数の偏光分離素子にて偏光分離された光束をそれぞれ入射する複数の光束入射側端面を有し、入射した各光束を合成して画像光を形成する色合成光学素子と、
前記反射型光変調素子および前記偏光分離素子を支持し、前記反射型光変調素子および前記偏光分離素子を前記色合成光学素子の前記複数の光束入射側端面にそれぞれ固定する複数の透光性の取付部材と、を備え、
前記取付部材は、
互いに直交する第１面および第２面と、
前記第１面および前記第２面に対して４５°の角度をなす第３面と、を備え、
前記第１面には、前記色合成光学素子の光束入射側端面における光束入射領域が対向配置され、
前記第２面には、前記反射型光変調素子の光入射出側端面における画像形成領域が対向配置され、
前記第３面には、前記偏光分離素子における偏光分離領域が接合されている
ことを特徴とする光学装置。
【請求項２】
請求項１に記載の光学装置において、
前記取付部材は、
前記第１面、前記第２面、および前記第３面に直交する端面が直角二等辺三角形であり、
前記第１面と前記第２面とのうちの少なくともいずれか一方の面には、前記色合成光学素子の光束入射領域または前記反射型光変調素子の画像形成領域に対する貼付面を有する延設部が一体的に形成されている
ことを特徴とする光学装置。
【請求項３】
請求項１または請求項２に記載の光学装置を備えることを特徴とする電子機器。
【発明の詳細な説明】
【技術分野】
【０００１】
本発明は、各波長帯域に分離された光をそれぞれ変調し、これらの変調光を合成出力する光学装置および電子機器に関する。
【背景技術】
【０００２】
従来、プロジェクター等の投射装置では、入射光を各波長帯域（例えば、ＲＧＢ３色）の光に分離し、分離された光を反射型液晶パネルに入射させることで各光を変調させ、変調された３色の光を、偏光ビームフィルターやダイクロイックミラーを通してスクリーン上で重ね合わせてカラー表示している。
【０００３】
ここで、偏光ビームフィルター、ダイクロイックミラー、および反射型液晶パネルの相対位置がずれてしまうとスクリーン上の投影像において３色の画像光がずれ、カラー表示の画質が悪化してしまう。このような問題を解決するために、これらの３つの画像光が適切に重なるように、ダイクロイックミラー、反射型液晶パネルおよび偏光ビームフィルターの位置を調整して固定する技術が提案されている（例えば、特許文献１参照）。
特許文献１では、光合成プリズムの光束入射側端面の上下端部に２個の固定プレートをそれぞれ接合し、この固定プレートに偏光ビームフィルターと反射型液晶パネルとを接合することでそれぞれの位置を固定している。
【先行技術文献】
【特許文献】
【０００４】
【特許文献１】特開２００６−９９０８６号公報
【発明の概要】
【発明が解決しようとする課題】
【０００５】
しかしながら、特許文献１に記載の技術では、偏光ビームフィルターと反射型液晶パネルと光合成プリズムとの位置は固定できるものの、固定プレート等の部品点数が多くなるとともに、複数の固定プレートの位置調整を行う必要があるため組立作業が複雑となってしまい、生産性が悪化するという問題があった。
【０００６】
本発明の目的は、高画質なカラー表示が可能であるとともに、各部材の位置調整を簡単に行うことができ、生産性に優れた光学装置および電子機器を提供することである。
【課題を解決するための手段】
【０００７】
本発明の光学装置は、複数の色光を色光毎に画像情報に応じて変調する複数の反射型光変調素子と、前記反射型光変調素子に照射される光束および前記反射型光変調素子で変調された光束を偏光分離する複数の偏光分離素子と、前記複数の反射型光変調素子にて変調され前記複数の偏光分離素子にて偏光分離された光束をそれぞれ入射する複数の光束入射側端面を有し、入射した各光束を合成して画像光を形成する色合成光学素子と、前記反射型光変調素子および前記偏光分離素子を支持し、前記反射型光変調素子および前記偏光分離素子を前記色合成光学素子の前記複数の光束入射側端面にそれぞれ固定する複数の透光性の取付部材と、を備え、前記取付部材は、互いに直交する第１面および第２面と、前記第１面および前記第２面に対して４５°の角度をなす第３面と、を備え、前記第１面には、前記色合成光学素子の光束入射側端面における光束入射領域が対向配置され、前記第２面には、前記反射型光変調素子の光入射出側端面における画像形成領域が対向配置され、前記第３面には、前記偏光分離素子における偏光分離領域が接合されていることを特徴とする。
【０００８】
ここで、光束入射領域とは、色合成光学素子の光束入射側端面のうち、偏光分離素子で偏光分離された光束が入射される領域を意味する。また、画像形成領域とは、反射型光変調素子の光入射出側端面のうち、各色光を変調して画像を形成する領域を意味する。さらに、偏光分離領域とは、偏光分離素子において光束を偏光分離する領域を意味する。
この発明では、光学装置が備える取付部材は第１面に色合成光学素子の光束入射側端面における光束入射領域、第２面に反射型光変調素子の光入射出側端面における画像形成領域が対向配置され、第３面に偏光分離素子における偏光分離領域が接合されている。ここで、対向配置とは、第１面（または第２面）と色合成光学素子の光束入射領域（または反射型光変調素子の画像形成領域）とが直接接合されることのほかにも、第１面（または第２面）に一体形成された部分に色合成光学素子の光束入射領域（または反射型光変調素子の画像形成領域）が接合されるという意味をも含むものである。
したがって、１つの取付部材により各色光に対応する反射型光変調素子と偏光分離素子とが色合成光学素子に固定されるので、各部材の位置の調整箇所が減少するので各部材の位置がずれるというリスクを低減することができる。したがって、スクリーン上における各色の画像光を投射する際のずれを低減でき、高画質なカラー表示を提供することができる。
【０００９】
また、光学装置は、１つの取付部材により各色光に対応する各部材を一体化している。従来は、光合成プリズムの上下端面で各部材を支持するため２個の固定プレートを用いていたが、本願では、１つの取付部材で色合成光学素子（光合成プリズム）、反射型光変調素子、および偏光分離素子を固定することができる。これによれば、部品点数が抑えられるためコスト削減を図ることができる。また、部品点数の減少により各部材の位置の調整箇所が減少するので組立作業性が向上する。すなわち、生産性に優れている。
【００１０】
本発明の光学装置において、前記取付部材は、前記第１面、前記第２面、および前記第３面に直交する端面が直角二等辺三角形であり、前記第１面と前記第２面とのうちの少なくともいずれか一方の面には、前記色合成光学素子の光束入射領域または前記反射型光変調素子の画像形成領域に対する貼付面を有する延設部が一体的に形成されていることが好ましい。
【００１１】
この発明では、取付部材の第１面および第２面のうち少なくともいずれか一方の面に延設部が一体的に形成されている。第１面に一体形成される延設部は、色合成光学素子の光束入射領域に貼り付けられるため、その貼付面は第１面と平行に形成される。また、第２面に一体形成される延設部は、反射型光変調素子の画像形成領域に貼り付けられるため、その貼付面は第２面と平行に形成される。
これによれば、延設部の貼付面は第１面または第２面よりも貼付対象（色合成光学素子の光束入射領域または反射型光変調素子の画像形成領域）側に位置している。第１面に延設部が形成される場合には、この延設部に貼り付けられる色合成光学素子の光束入射側端面と偏光分離素子の端部および反射型液晶素子の端部との間隔を大きくすることができる。また、第２面に延設部が形成される場合には、この延設部に貼り付けられる反射型液晶素子の光束入射出側端面と偏光分離素子の端部および色合成光学素子の光束入射側端面の端部との間隔を大きくすることができる。したがって、取付部材を貼付対象に貼り付ける際に部材同士が干渉することがないため、作業性に優れている。また、このように作業性に優れるので、各部材の位置調整を正確に行うことができる。
【００１２】
本発明の電子機器は、上述の光学装置を備えることを特徴とする。
この発明によれば、電子機器は上述した本発明の光学装置を備えているので、高品質な画像表示を行うことができるとともに、部品点数が少ないので容易に組立作業を行うことができ、生産性が向上する。
このような電子機器としては、例えば、液晶プロジェクター等の投射型表示装置が挙げられる。
【図面の簡単な説明】
【００１３】
【図１】本発明の第１実施形態に係るプロジェクターの構成を示す図。
【図２】第１実施形態における光学装置の接合状態を示す分解斜視図。
【図３】本発明の第２実施形態に係る光学装置を示す平面図。
【図４】本発明の第３実施形態に係る光学装置を示す平面図。
【発明を実施するための形態】
【００１４】
以下、本発明の実施形態を図面に基づいて説明する。
［第１実施形態］
〔プロジェクターの構成〕
図１は、プロジェクター１の概略構成を模式的に示す図である。
プロジェクター１は、光源から射出される光束を画像情報に応じて変調してカラー画像（画像光）を形成し、このカラー画像をスクリーン（図示略）上に拡大投射する。このプロジェクター１は、図１に示すように、略直方体状の外装筐体２と、投射レンズ３と、光学ユニット４等を備える。
【００１５】
投射レンズ３は、複数のレンズを組み合わせた組レンズとして構成され、光学ユニット４にて形成されたカラー画像をスクリーン上に拡大投射する。
光学ユニット４は、外装筐体２内の制御装置による制御の下、光源から射出された光束を光学的に処理して画像信号に対応したカラー画像を形成するユニットである。この光学ユニット４は、光源装置４１と、照明光学装置４２と、色分離光学装置４３と、光学装置４４等を備える。
光源装置４１は、光源ランプ４１１、リフレクター４１２、ＵＶ−ＩＲフィルター４１３等を備える。光源ランプ４１１から射出された光束は、リフレクター４１２によって射出方向が揃えられ、ＵＶ−ＩＲフィルター４１３を介して照明光学装置４２に向けて射出される。
【００１６】
照明光学装置４２は、第１レンズアレイ４２１、第２レンズアレイ４２２、偏光変換素子４２３、および重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４４の後述する３枚の反射型液晶パネル５１上で重畳する。
【００１７】
色分離光学装置４３は、青色光を反射するＢ光反射ダイクロイックミラー４３２および緑色光、赤色光を反射するＧＲ光反射ダイクロイックミラー４３３がＸ字状に配置されたクロスダイクロイックミラー４３１、緑色光を反射するＧ光反射ダイクロイックミラー４３４、および２枚の反射ミラー４３５，４３６を備える。そして、色分離光学装置４３は、照明光学装置４２から射出された複数の部分光束を赤、緑、青の３色の色光に分離する。この分離された青色光、緑色光、赤色光は、光学装置４４を構成する後述する偏光分離素子４４１Ｂ，４４１Ｇ，４４１Ｒに入射する。
【００１８】
光学装置４４は、入射した光束を画像情報に応じて変調して画像光（カラー画像）を形成するものである。この光学装置４４は、３つの偏光分離素子４４１（赤色光側の偏光分離素子を４４１Ｒ、緑色光側の偏光分離素子を４４１Ｇ、青色光側の偏光分離素子を４４１Ｂとする）と、３つの反射型光変調素子としての反射型電気光学装置５０（偏光分離素子４４１と同様に、各色光側の反射型電気光学装置を５０Ｒ，５０Ｇ，５０Ｂとする）と、色合成光学素子としてのクロスダイクロイックプリズム４４３と、これら各部材４４１、５０、４４３を一体化する３つの取付部材７０を備える。なお、取付部材７０の詳細な構成については、後述する。
【００１９】
３つの偏光分離素子４４１は、入射光束の光軸に対して略４５°傾斜した状態で配置され、入射した光束を偏光分離する。そして、各偏光分離素子４４１は、入射した光束のうち、偏光変換素子４２３で揃えられた偏光方向と略同一の偏光方向を有する偏光光を透過させ、前記偏光方向に直交する偏光方向を有する偏光光を反射させ、入射した光束を偏光分離する。
【００２０】
３つの反射型電気光学装置５０は、図２に示すように、シリコン基板上に液晶が形成されたいわゆるＬＣＯＳ(Liquid Crystal On Silicon)で構成されている反射型液晶パネル５１と、この反射型液晶パネル５１の熱を放熱する放熱部材５５を備える。そして、各反射型電気光学装置５０は、各偏光分離素子４４１を透過した光束の光軸に対して反射型液晶パネル５１が略直交した状態でそれぞれ配置される。
反射型液晶パネル５１は、互いに対向する素子基板５１０および対向基板５２０と、これらの間に密封封入された図示しない液晶を備える。この反射型液晶パネル５１は、前記制御装置からの駆動信号に応じて、前記液晶の配向状態が制御され、偏光分離素子４４１を透過した偏光光束の偏光方向を変調し、偏光分離素子４４１に向けて反射する。反射型液晶パネル５１にて変調され、偏光分離素子４４１に向けて反射された光束は、偏光変換素子４２３で揃えられた偏光方向に直交する偏光方向を有する偏光光のみが偏光分離素子４４１にて反射されてクロスダイクロイックプリズム４４３に向う。
【００２１】
クロスダイクロイックプリズム４４３は、各偏光分離素子４４１にて反射された各色光がそれぞれ入射される各光束入射側端面４４４（偏光分離素子４４１と同様に、各色光側の光束入射側端面を４４４Ｒ，４４４Ｇ，４４４Ｂとする）を有し、入射した各色光を合成してカラー画像を形成する。このクロスダイクロイックプリズム４４３は、４つの直角プリズムを貼り合わせた平面視略正方形状をなし、直角プリズム同士を貼り合わせた界面には、２つの誘電体多層膜が形成されている。これら誘電体多層膜は、偏光分離素子４４１Ｇにて反射された緑色光を透過し、各偏光分離素子４４１Ｒ，４４１Ｂにて反射された赤、緑色光をそれぞれ反射する。このようにして、各色光が合成されてカラー画像が形成される。そして、クロスダイクロイックプリズム４４３で形成されたカラー画像は、上述した投射レンズ３によりスクリーンへ拡大投射される。
【００２２】
〔取付部材の詳細な構成〕
３つの取付部材７０は、同一の形状を有しているため、以下では、１つの取付部材７０のみの構造を説明する。
取付部材７０は、偏光分離素子４４１および反射型電気光学装置５０を、クロスダイクロイックプリズム４４３の光束入射側端面４４４にそれぞれ固定する部材である。
取付部材７０は、図２に示すように、三角柱状の透光性部材で構成されている。取付部材７０の線膨張係数は、４×１０−６／℃以上１０×１０−６／℃以下であることが好ましいが、クロスダイクロイックプリズム４４３および反射型液晶パネル５１の線膨張係数と等しいことがより好ましい。本実施形態における取付部材７０の線膨張係数は、クロスダイクロイックプリズム４４３の線膨張係数に等しい。
また、反射型電気光学装置５０の反射型液晶パネル５１に通常用いられている防塵ガラスを三角柱状に形成したものを取付部材７０として使用する。
【００２３】
三角柱状の取付部材７０の側面は、略長方形状の第１面７１、第２面７２、および第３面７３によって形成され、第１面７１と第２面７２とが直交するとともに、第３面７３は第１面７１と第２面７２に対して４５°傾斜している。これにより、第１面７１、第２面７２、および第３面７３に直交する端面７４は平面視略直角二等辺三角形に形成されている。
第１面７１はクロスダイクロイックプリズム４４３の光束入射側端面４４４の光束入射領域４４４Ａに接合され、第２面７２は反射型電気光学装置５０の画像形成領域５１Ａに接合され、第３面７３は偏光分離素子４４１の偏光分離領域４４１Ａに接合されている。このように、取付部材７０は、クロスダイクロイックプリズム４４３、反射型電気光学装置５０、および偏光分離素子４４１を支持して各部材を固定する。
【００２４】
〔本実施形態の作用効果〕
上述した実施形態によれば、以下の作用効果を奏することができる。
光学装置４４は、偏光分離素子４４１および反射型電気光学装置５０をクロスダイクロイックプリズム４４３の光束入射側端面４４４に固定する三角柱状の取付部材７０を備えている。取付部材７０の側面となる第１面７１にはクロスダイクロイックプリズム４４３の光束入射側端面４４４の光束入射領域４４４Ａが接合され、第２面７２には反射型電気光学装置５０の画像形成領域５１Ａが接合され、第３面７３には偏光分離素子４４１の偏光分離領域４４１Ａが接合されている。このため、クロスダイクロイックプリズム４４３と、各色光に対する反射型電気光学装置５０および偏光分離素子４４１とは、１つの取付部材７０で固定されるので、各部材の相対位置がずれるというリスクを低減することができる。したがって、スクリーン上における各色の画像光を投射する際のずれを低減でき、高画質なカラー表示を提供することができる。
【００２５】
光学装置４４は、１つの取付部材７０により各色光に対する偏光分離素子４４１および反射型電気光学装置５０をクロスダイクロイックプリズム４４３に固定しているため、部品点数を抑えることができ、コスト削減を図ることができる。また、部品点数の減少により各部材の位置の調整箇所が減少するので組立作業性が向上し、生産性に優れている。
【００２６】
さらに、三角柱状の取付部材７０により、クロスダイクロイックプリズム４４３、反射型電気光学装置５０、および偏光分離素子４４１で構成される空間が存在しない。このことにより、これらの部材における画像光の形成に寄与する領域（光束入射領域４４４Ａ、画像形成領域５１Ａ、および偏光分離領域４４１Ａ）の間に塵埃が侵入することを防止できる。すなわち、取付部材７０に防塵機能を持たせることができる。これによれば、光学装置４４にて形成する画像光に塵埃が入り込むことを抑制し、画像光を良好に維持でき、スクリーン等に劣化のない良好な投影画像を形成することができる。
特に、反射型電気光学装置５０に通常用いる防塵ガラスとして本実施形態の取付部材７０を形成するので、新たな材料を用意する必要もなく、コスト削減および生産性の向上を図ることができる。
【００２７】
〔本実施形態の変形例〕
なお、本発明は上述の実施形態に限定されるものではなく、本発明の目的を達成できる範囲での変形、改良等は本発明に含まれるものである。
例えば、光源装置４１は、放電発光型の光源装置で構成したが、これに限られず、例えば、レーザーダイオード、ＬＥＤ（Light Emitting Diode）、有機ＥＬ（Electro Luminescence）素子、シリコン発光素子等の各種固体発光素子を採用してもよい。
また、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
さらに、上述の実施形態では、スクリーンを観察する方向から投射を行うフロントタイプのプロジェクターを例示したが、本発明は、スクリーンを観察する方向とは反対側から投射を行うリアタイプのプロジェクターにも適用可能である。
【００２８】
［第２実施形態］
第２実施形態では、第１実施形態で用いた光学装置４４の代わりに図３に示す光学装置４５を用いる。図３において、取付部材７５の形状が異なる以外は、上述の実施形態の光学装置４４と同様の構成であるので、同様の構成については説明を省略する。
取付部材７５は、略長方形状の第１面７５１、第２面７５２、および第３面７５３で形成される三角柱の第２面７５２に延設部７５４が一体形成された形状である。すなわち、取付部材７５の第２面７５２は実際には存在しない面であるが、説明の便宜上、図３に一点鎖線で表記する。
【００２９】
図３に示すように、取付部材７５は、第１面７５１と第２面７５２とが直交するとともに、第３面７５３は第１面７５１と第２面７５２に対して４５°傾斜している。第２面７５２に延設された延設部７５４は、反射型電気光学装置５０の反射型液晶パネル５１の画像形成領域５１Ａに対する貼付面７５５を有しており、この貼付面７５５は第２面７５２と平行に形成される。したがって、取付部材７５の側面は、第１面７５１と貼付面７５５とが直交するとともに、第３面７５３は第１面７５１と貼付面７５５に対して４５°傾斜している。すなわち、取付部材７５の第１面７５１、貼付面７５５、および第３面７５３に直交する端面７５６は平面視略台形状に形成されている。
【００３０】
第１面７５１はクロスダイクロイックプリズム４４３の光束入射側端面４４４の光束入射領域４４４Ａに接合され、貼付面７５５は反射型電気光学装置５０の画像形成領域５１Ａに接合され、第３面７５３は偏光分離素子４４１の偏光分離領域４４１Ａに接合されている。このように、取付部材７５は、クロスダイクロイックプリズム４４３、反射型電気光学装置５０、および偏光分離素子４４１を支持して各部材を固定する。
【００３１】
〔第２実施形態の作用効果〕
このような光学装置４５によれば、第１実施形態と同様の作用効果のほかにも以下の作用効果を奏することができる。
取付部材７５は、反射型電気光学装置５０側に延設部７５４が一体形成されている。延設部７５４の貼付面７５５は第２面７５２よりも反射型電気光学装置５０側に位置するため、反射型電気光学装置５０の入射出側端面と偏光分離素子４４１の端部およびクロスダイクロイックプリズム４４３の光束入射側端面の端部との間隔を大きくすることができる。したがって、これらの部材が干渉しないので、反射型電気光学装置５０を取付部材７５に貼り付けやすい。さらに、取付部材７５をクロスダイクロイックプリズム４４３に貼り付けやすい。すなわち、組立作業性が向上するとともに、取付部材７５と反射型電気光学装置５０との位置調整を正確に行うことができる。
【００３２】
［第３実施形態］
第３実施形態では、第１実施形態で用いた光学装置４４の代わりに図４に示す光学装置４６を用いる。図４において、取付部材７６の形状が異なる以外は、上述の実施形態の光学装置４４と同様の構成であるので、同様の構成については説明を省略する。
取付部材７６は、略長方形状の第１面７６１、第２面７６２、および第３面７６３で形成される三角柱の第１面７６１に第１延設部７６４が一体形成され、第２面７６２に第２延設部７６５が一体形成されている。すなわち、取付部材７６には、第１面７６１および第２面７５２は実際には存在しない面であるが、説明の便宜上、図４に一点鎖線で表記する。
【００３３】
取付部材７６は、第１面７６１と第２面７６２とが直交するとともに、第３面７６３は第１面７６１と第２面７６２に対して４５°傾斜している。第１面７６１に延設された第１延設部７６４は、クロスダイクロイックプリズム４４３の光束入射側端面４４４に対する第１貼付面７６６を有しており、この第１貼付面７６６は第１面７６１と平行に形成される。また、第２面７６２に延設された第２延設部７６５は、反射型電気光学装置５０に対する第２貼付面７６７を有しており、この第２貼付面７６７は第２面７６２と平行に形成される。なお、第２延部７６５は、第２実施形態の延設部７５４と同様の構成であり同様に機能する。したがって、取付部材７６の側面は、第１貼付面７６６の延長面と第２貼付面７６７の延長面とが直交するとともに、第３面７６３は第１貼付面７６６と第２貼付面７６７に対して４５°傾斜している。
【００３４】
第１貼付面７６６はクロスダイクロイックプリズム４４３の光束入射側端面４４４に接合され、第２貼付面７６７は反射型電気光学装置５０に接合され、第３面７６３は偏光分離素子４４１に接合されている。このように、取付部材７６は、クロスダイクロイックプリズム４４３、反射型電気光学装置５０、および偏光分離素子４４１を支持して各部材を固定する。
【００３５】
〔第３実施形態の作用効果〕
このような光学装置４６によれば、第２実施形態と同様の作用効果のほかにも以下の作用効果を奏することができる。
取付部材７６は、クロスダイクロイックプリズム４４３側に第１延設部７６４が一体形成されている。第１延設部７６４の貼付面７６６は第１面７６１よりもクロスダイクロイックプリズム４４３側に位置するため、クロスダイクロイックプリズム４４３の光束入射側端面４４４と反射型電気光学装置５０の端部および偏光分離素子４４１の端部との間隔を大きくすることができ、取付部材７６をクロスダイクロイックプリズム４４３に貼り付けやすい。すなわち、組立作業性が向上するとともに、取付部材７６とクロスダイクロイックプリズム４４３との位置調整を正確に行うことができる。
【符号の説明】
【００３６】
１…プロジェクター、３…投射レンズ、４１…光源装置、４４…光学装置、４４１…偏光分離素子、４４３…クロスダイクロイックプリズム、４４４…光束入射側端面、５０…反射型電気光学装置、５１…反射型液晶パネル、７０…光学装置、７１…第１面、７２…第２面、７３…第３面、７４…端面。
【図１】
2011215521.tif 000003
【図２】
2011215521.tif 000004
【図３】
2011215521.tif 000005
【図４】
2011215521.tif 000006